(57)【要約】【課題】発光管の長寿命化が図れる光源装置を提供する。【解決手段】光源装置４は、内部に一対の電極が配置される発光部を有する発光管と、発光部から出射された光束を反射させ、所定位置に収束させる反射鏡と、反射鏡の光出射前側に設けられる筒体８２と、反射鏡にて反射された光束を透過させる透光性部材６とを備える。筒体８２は、発光管を囲む側壁部８３と、筒体８２における光出射前側に設けられ、側壁部８３に接続する前壁部８４とを備える。前壁部８４には、透光性部材６が嵌合される開口部８５と、筒体８２内外を連通する連通口８８と、連通口８８を介して筒体８２内部に導入される空気を発光部に向けて整流する整流部８９が設けられている。【選択図】図６
2012194461.tif 000002
【特許請求の範囲】
【請求項１】
内部に一対の電極が配置される発光部を有する発光管と、前記発光部から出射された光束を反射させ、所定位置に収束させる反射鏡とを備えた光源装置であって、
前記反射鏡の光出射前側に設けられる筒体と、
前記反射鏡にて反射された光束を透過させる透光性部材とを備え、
前記筒体は、
前記発光管を囲む側壁部と、
前記筒体における光出射前側に設けられ、前記側壁部に接続する前壁部とを備え、
前記前壁部には、
前記透光性部材が嵌合される開口部と、
前記筒体内外を連通する連通口と、
前記連通口を介して前記筒体内部に導入される空気を前記発光部に向けて整流する整流部とが設けられている
ことを特徴とする光源装置。
【請求項２】
請求項１に記載の光源装置において、
前記連通口は、
前記発光管の中心線に沿う方向から見て、前記中心線の上下左右の各位置にそれぞれ設けられる第１〜第４連通口を備え、
当該光源装置は、
前記第１〜第４連通口にそれぞれ空気を導くダクトと、
前記ダクト内部の流路を切り替える流路切替機構とを備え、
前記ダクトは、
前記筒体の周方向に延び、前記側壁部に沿って互いに離間する方向に空気をそれぞれ流通させる第１主ダクト及び第２主ダクトと、
前記第１主ダクトを介して流通した空気を前記前壁部に沿って流通させ、前記筒体の周方向に隣り合う前記第１連通口及び前記第２連通口にそれぞれ導く第１副ダクト及び第２副ダクトと、
前記第２主ダクトを介して流通した空気を前記前壁部に沿って流通させ、前記第３連通口及び前記第４連通口にそれぞれ導く第３副ダクト及び第４副ダクトとを備える
ことを特徴とする光源装置。
【請求項３】
請求項２に記載の光源装置において、
前記ダクトは、
前記中心線に沿う方向から見て、前記中心線を通り、前記第１連通口及び前記第２連通口と前記第３連通口及び前記第４連通口とを区画する仮想線を基準として対称となるように形成されている
ことを特徴とする光源装置。
【請求項４】
請求項２または請求項３に記載の光源装置において、
前記ダクトは、
前記筒体外面に取り付けられ、前記筒体外面との間で流路を形成するカバー部材で構成されている
ことを特徴とする光源装置。
【請求項５】
光源装置と、前記光源装置から出射された光束を変調する光変調装置と、前記光変調装置にて変調された光束を投射する投射光学装置とを備えたプロジェクターであって、
前記光源装置は、
請求項１から請求項４のいずれかに記載の光源装置である
ことを特徴とするプロジェクター。
【発明の詳細な説明】
【技術分野】
【０００１】
本発明は、光源装置、及びプロジェクターに関する。
【背景技術】
【０００２】
従来、プロジェクターに搭載される光源装置として、内部に一対の電極が配置される発光部を有する発光管と、発光部から出射された光束を反射させ所定位置に収束させる反射鏡（楕円面リフレクター）と、反射鏡にて反射された光束を平行化する平行化レンズとを備えた構成が知られている（例えば、特許文献１参照）。
特許文献１に記載された光源装置では、発光管の長寿命化を図るために、発光部上部に冷却空気を送風する冷却構造を採用している。
具体的に、特許文献１に記載された光源装置は、反射鏡の光出射前側に設けられ、発光管が取り付けられた反射鏡と平行化レンズとを一体化する筒体（収納体本体）を備える。
この筒体は、発光管の中心線（光源装置から出射される光束の光軸）に沿って延出し発光管を囲む側壁部（上，下，左，右側面部）と、側壁部における光出射前側に接続し、平行化レンズが取り付けられる前壁部（前面部）とを有する。
そして、側壁部に筒体内外を連通する開口部が形成され、当該開口部を介して筒体内部に空気を導入することで、発光部上部に空気を送風している。
【先行技術文献】
【特許文献】
【０００３】
【特許文献１】特開２０１０−１０７５７４号公報
【発明の概要】
【発明が解決しようとする課題】
【０００４】
ところで、発光管は、発光中心（一対の電極間の略中心位置）が反射鏡（楕円面リフレクター）の第１焦点に位置するように反射鏡に取り付けられるものである。すなわち、発光部と、筒体に形成された開口部とは、所定距離、離間した状態となる。
このため、当該開口部を介して発光部上部に空気を良好に送風するためには、当該開口部を介して筒体内部に導入された空気を発光部上部に向けて整流する整流構造を筒体内部に設けることが考えられる。
【０００５】
また、反射鏡が楕円面リフレクターで構成されている場合には、筒体内部において、反射鏡にて反射された光束の光路に干渉しない空間（以下、非干渉空間と記載）は、反射鏡に近接するほど小さくなるものである。
そして、特許文献１に記載された光源装置では、反射鏡に近接する側壁部に開口部が形成されている。すなわち、反射鏡に近接する側では非干渉空間が小さいため、筒体内部に上記整流構造を設ける場合には、反射鏡にて反射された光束を遮らないように、非干渉空間に合わせた小型の整流構造とする必要がある。そして、このように整流構造が小型のものである場合には、当該整流構造に良好な整流効果を持たせることができない。
したがって、発光部上部に空気を良好に送風することが難しく、発光管の長寿命化を図ることが難しい、という問題がある。
【０００６】
本発明の目的は、発光管の長寿命化が図れる光源装置、及びプロジェクターを提供することにある。
【課題を解決するための手段】
【０００７】
本発明の光源装置は、内部に一対の電極が配置される発光部を有する発光管と、前記発光部から出射された光束を反射させ、所定位置に収束させる反射鏡とを備えた光源装置であって、前記反射鏡の光出射前側に設けられる筒体と、前記反射鏡にて反射された光束を透過させる透光性部材とを備え、前記筒体は、前記発光管を囲む側壁部と、前記筒体における光出射前側に設けられ、前記側壁部に接続する前壁部とを備え、前記前壁部には、前記透光性部材が嵌合される開口部と、前記筒体内外を連通する連通口と、前記連通口を介して前記筒体内部に導入される空気を前記発光部に向けて整流する整流部とが設けられていることを特徴とする。
ここで、光出射前側とは、反射鏡にて反射された光束が進行する側を意味する。一方、光出射後側とは、上記光出射前側とは反対側を意味する。
【０００８】
本発明では、光源装置を構成する筒体において、反射鏡から離間し、透光性部材が取り付けられる前壁部には、上述した連通口及び整流部が設けられている。
すなわち、筒体内部において、反射鏡から離間した側は、反射鏡に近接する側と比較して、非干渉空間が大きいため、側壁部に連通口及び整流部を設けた構成と比較して、大きいサイズの整流部を筒体内部に設けることができる。
したがって、整流部に良好な整流効果を持たせることができ、発光部上部に空気を良好に送風して、発光管の長寿命化が図れる。
【０００９】
本発明の光源装置では、前記連通口は、前記発光管の中心線に沿う方向から見て、前記中心線の上下左右の各位置にそれぞれ設けられる第１〜第４連通口を備え、当該光源装置は、前記第１〜第４連通口にそれぞれ空気を導くダクトと、前記ダクト内部の流路を切り替える流路切替機構とを備え、前記ダクトは、前記筒体の周方向に延び、前記側壁部に沿って互いに離間する方向に空気をそれぞれ流通させる第１主ダクト及び第２主ダクトと、前記第１主ダクトを介して流通した空気を前記前壁部に沿って流通させ、前記筒体の周方向に隣り合う前記第１連通口及び前記第２連通口にそれぞれ導く第１副ダクト及び第２副ダクトと、前記第２主ダクトを介して流通した空気を前記前壁部に沿って流通させ、前記第３連通口及び前記第４連通口にそれぞれ導く第３副ダクト及び第４副ダクトとを備えることが好ましい。
ここで、第１，第２連通口は、筒体の周方向（発光管の中心線を中心とする回転方向）に隣り合う連通口である。すなわち、例えば、発光管の中心線に沿う方向から見て、当該中心線の上側に第１連通口が位置していれば、第２連通口は、当該中心線の左側または右側に位置するものである。
【００１０】
本発明では、前壁部には、上述した各位置に第１〜第４連通口が形成されている。
このことにより、例えば、光源装置が搭載されるプロジェクターが種々の姿勢（正置き姿勢、天吊り姿勢、上方投射姿勢、及び下方投射姿勢）で設置された場合であっても、第１〜第４連通口のいずれかの連通口を、発光管の中心線に沿う方向から見て、中心線の上側に位置付けることが可能となる。
このため、流路切替機構により、第１，第２主ダクトのいずれか一方、及び第１〜第４副ダクトのいずれか一方を介して上記上側に位置付けられた連通口に向けて空気を流通させることで、当該連通口及び整流部を介して発光部上部に空気を送風できる。
したがって、プロジェクターが種々の姿勢に設置された場合であっても、発光部上部に空気を送風でき、発光管の長寿命化が図れる。
また、第１，第２主ダクトが筒体の側壁部に沿って空気を流通させ、第１〜第４副ダクトが筒体の前壁部に沿って空気を流通させるので、前壁部の上記４つの各位置に第１〜第４連通口をそれぞれ形成した場合であっても、ダクトを筒体に近接した位置に纏めて配設できる。
したがって、光源装置が大型化することがない。
【００１１】
本発明の光源装置では、前記ダクトは、前記中心線に沿う方向から見て、前記中心線を通り、前記第１連通口及び前記第２連通口と前記第３連通口及び前記第４連通口とを区画する仮想線を基準として対称となるように形成されていることが好ましい。
本発明では、ダクトが上記仮想線を基準として対称となるように形成されているので、第１，第２主ダクト内部の各流路長さを同一に設定できるとともに、第１〜第４副ダクト内部の各流路長さを同一に設定できる。
したがって、光源装置が搭載されるプロジェクターが種々の姿勢に設置された場合であっても、発光部上部に送風される空気の風量や風速を略同一とすることができる。
【００１２】
本発明の光源装置では、前記ダクトは、前記筒体外面に取り付けられ、前記筒体外面との間で流路を形成するカバー部材で構成されていることが好ましい。
本発明では、ダクトが上述したカバー部材で構成されているので、当該カバー部材を筒体外面に取り付けるだけで、第１〜第４連通口に空気をそれぞれ導く各流路を形成でき、光源装置の構造を簡素なものとしながら、光源装置の小型化が図れる。
【００１３】
本発明のプロジェクターは、光源装置と、前記光源装置から出射された光束を変調する光変調装置と、前記光変調装置にて変調された光束を投射する投射光学装置とを備えたプロジェクターであって、前記光源装置は、上述した光源装置であることを特徴とする。
本発明では、プロジェクターは、上述した光源装置を備えるので、上述した光源装置と同様の作用及び効果を享受できる。
【図面の簡単な説明】
【００１４】
【図１】本実施形態におけるプロジェクターの内部構成を模式的に示す平面図。
【図２】本実施形態における光源装置の構成を示す斜視図。
【図３】本実施形態における光源装置の構成を示す斜視図。
【図４】本実施形態におけるランプユニットの構成を示す図。
【図５】本実施形態における支持部材内部を模式的に示す図。
【図６】本実施形態における筒状部材の構成を示す図。
【図７】本実施形態における筒状部材の構成を示す図。
【図８】本実施形態におけるプロジェクターの姿勢を模式的に示す図。
【図９】本実施形態における正置き姿勢での流路を説明するための図。
【図１０】本実施形態における正置き姿勢での流路を説明するための図。
【図１１】本実施形態における天吊り姿勢での流路を説明するための図。
【図１２】本実施形態における上方投射姿勢での流路を説明するための図。
【図１３】本実施形態における下方投射姿勢での流路を説明するための図。
【発明を実施するための形態】
【００１５】
以下、本発明の実施の一形態を図面に基づいて説明する。
〔プロジェクターの構成〕
図１は、本実施形態におけるプロジェクター１の内部構成を模式的に示す平面図である。
なお、以下では、説明の便宜上、後述する投射レンズ３８が配設される側（投射側）を「前面側」とし、その反対側を「背面側」と記載する。
また、以下では、プロジェクター１が正置き姿勢（天面が上方側に位置し、底面が下方側に位置する姿勢）で設置された状態で、投射レンズ３８からの投射方向をＺ軸とし、Ｚ軸に直交する水平軸をＸ軸、Ｚ軸に直交する鉛直軸をＹ軸とする。また、Ｙ軸において、上方側を＋Ｙ軸側とし、下方側を−Ｙ軸側とする。
プロジェクター１は、画像を投射してスクリーン（図示略）上に投影画像を表示する。
そして、このプロジェクター１は、図１に示すように、外装筐体２内部に収納される光学ユニット３を備える。
【００１６】
〔光学ユニットの構成〕
この光学ユニット３は、図１に示すように、光源装置４と、レンズアレイ３１１，３１２、偏光変換素子３１３、及び重畳レンズ３１４を有する照明光学装置３１と、ダイクロイックミラー３２１，３２２、及び反射ミラー３２３を有する色分離光学装置３２と、入射側レンズ３３１、リレーレンズ３３３、及び反射ミラー３３２，３３４を有するリレー光学装置３３と、３つの入射側偏光板３４と、光変調装置としての３つの液晶パネル３５と、３つの出射側偏光板３６と、色合成光学装置としてのクロスダイクロイックプリズム３７と、投射光学装置としての投射レンズ３８と、内部に各光学部品３１〜３７を収納するとともに投射レンズ３８を支持する光学部品用筐体３９とを備える。
そして、光学ユニット３では、上述した構成により、光源装置４から出射され照明光学装置３１を介した光束は、色分離光学装置３２にて赤（Ｒ）、緑（Ｇ）、青（Ｂ）の３つの色光に分離される。また、分離された各色光は、各液晶パネル３５にてそれぞれ変調される。変調された各色光は、プリズム３７にて合成されて画像となり、投射レンズ３８にてスクリーンに投射される。
【００１７】
〔光源装置の構成〕
図２及び図３は、光源装置４の構成を示す斜視図である。具体的に、図２は光源装置４を背面側（−Ｚ軸側）でかつ＋Ｙ軸側から見た斜視図であり、図３は光源装置４を前面側（＋Ｚ軸側）でかつ−Ｙ軸側から見た斜視図である。
光源装置４は、図１ないし図３に示すように、光を出射するランプユニット５（図１）と、ランプユニット５から出射された光束を略平行化する透光性部材としての平行化レンズ６と、これらランプユニット５及び平行化レンズ６を支持する支持部材７（図２、図３）と、空気を送風する冷却ファンＦ（図１）とを備える。
【００１８】
〔ランプユニットの構成〕
図４は、ランプユニット５の構成を示す図である。具体的に、図４は、ランプユニット５を＋Ｚ軸側（前面側）から見た断面図である。
ランプユニット５は、図１または図４に示すように、発光管５１と、反射鏡としてのリフレクター５２とを備える。
発光管５１は、図４に示すように、略球状に膨出する発光部５１１と、発光部５１１を挟み、発光部５１１の両端から互いに離間する方向に延出する一対の封止部５１２，５１３とを有する。
なお、以下では、説明の便宜上、一対の封止部５１２，５１３のうち、光出射前側（＋Ｘ軸側）の封止部５１２を前側封止部５１２と記載し、光出射後側（−Ｘ軸側）の封止部５１３を後側封止部５１３と記載する。
【００１９】
発光部５１１の内部には、図４に示すように、一対の電極Ｅ１，Ｅ２が配置され、一対の電極Ｅ１，Ｅ２間には、水銀、希ガス及び少量のハロゲンを含む発光物質が封入された放電空間Ｓが形成されている。
各封止部５１２，５１３内部には、電極Ｅ１，Ｅ２とそれぞれ電気的に接続されたモリブデン製の金属箔５１２１，５１３１が挿入され、各封止部５１２，５１３における発光部５１１とは反対側の端部は、ガラス材料等で封止されている。
これら各金属箔５１２１，５１３１には、発光管５１の外部まで延出する電極引出線５１４，５１５がそれぞれ接続され、これら電極引出線５１４，５１５に対して、電圧を印加すると、発光部５１１内部が発光する。
なお、前側封止部５１２に設けられた電極引出線５１４には、電極引出線５１４に電圧を印加するために、リード線５１６の一端が溶着されている。
【００２０】
リフレクター５２は、第１，第２焦点を有する回転楕円面の一部で構成された反射面（図示略）を有し、第１焦点から出射された光束を反射させて、第２焦点に収束させる。
そして、発光管５１は、発光部５１１の発光中心がリフレクター５２の第１焦点に位置するように、後側封止部５１３がリフレクター５２に固定される。
すなわち、発光管５１は、図４に示すように、断面略凹状に拡がるリフレクター５２の内部に配設されている。
【００２１】
〔支持部材の構成〕
図５は、支持部材７内部を模式的に示す図である。具体的に、図５は、支持部材７内部を＋Ｘ軸側（光出射前側）から見た図である。
支持部材７は、ランプユニット５及び平行化レンズ６を一体化するとともに、冷却ファンＦから吐出された空気を所定位置に導く機能を有する。
そして、この支持部材７は、図２、図３、または図５に示すように、筒状部材８と、ダクトとしてのカバー部材９と、流路切替機構１０（図５）とを備える。
【００２２】
〔筒状部材の構成〕
図６及び図７は、筒状部材８の構成を示す図である。具体的に、図６は筒状部材８を＋Ｘ軸側（光出射前側）から見た図であり、図７は筒状部材８を−Ｘ軸側（光出射後側）から見た図である。
筒状部材８は、発光管５１を囲み、発光管５１の中心線Ａｘ（図１、図４、図５）に沿って延出するように形成されている。
より具体的に、筒状部材８は、図２、図３、図６、または図７に示すように、−Ｘ軸側（光出射後側）に位置する第１筒状部８１と、＋Ｘ軸側（光出射前側）に位置し第１筒状部８１よりも外形の小さい筒体としての第２筒状部８２とが段差部８Ａを介して一体的に形成されている。
【００２３】
そして、ランプユニット５は、断面略凹状に拡がるリフレクター５２における＋Ｘ軸側（光出射前側）の端部が段差部８Ａに当接した状態で、筒状部材８に固定される。
また、平行化レンズ６は、図２、図３、または図６に示すように、第２筒状部８２における＋Ｘ軸側（光出射前側）に固定される。
上述したように筒状部材８にランプユニット５及び平行化レンズ６が固定されることで、第２筒状部８２における−Ｘ軸側（光出射後側）の開口部分がランプユニット５にて閉塞され、＋Ｘ軸側（光出射前側）の開口部分が平行化レンズ６にて閉塞され、第２筒状部８２、ランプユニット５、及び平行化レンズ６にて囲まれた空間Ａｒ（図１０参照）が形成される。
【００２４】
第２筒状部８２は、図５ないし図７に示すように、側壁部８３と、前壁部８４（図６、図７）とを備える。
側壁部８３は、図５ないし図７に示すように、上側壁部８３Ｕと、下側壁部８３Ｄと、左側壁部８３Ｌと、右側壁部８３Ｒと、４つの交差壁部８３Ｃ１〜８３Ｃ４とを備える。
上、下側壁部８３Ｕ，８３Ｄは、互いに対向するようにプロジェクター１の天面側及び底面側にそれぞれ位置し、ＸＺ平面に沿ってそれぞれ延出する。
左，右側壁部８３Ｌ，８３Ｒは、互いに対向するように＋Ｚ軸側（前面側）及び−Ｚ軸側（背面側）にそれぞれ位置し、ＸＹ平面に沿ってそれぞれ延出する。
４つの交差壁部８３Ｃ１〜８３Ｃ４は、各側壁部８３Ｕ，８３Ｄ，８３Ｌ，８３Ｒ間を接続する。
これら４つの交差壁部８３Ｃ１〜８３Ｃ４のうち、左，下側壁部８３Ｌ，８３Ｄ間を接続する交差壁部８３Ｃ１には、図３または図５に示すように、空間Ａｒの空気を外部に排出するための排気口８３Ｃ５が形成されている。
そして、側壁部８３は、図５に示すように、＋Ｘ軸側（光出射前側）から見て、発光管５１を囲む六角形状を有する。
【００２５】
前壁部８４は、図６または図７に示すように、第２筒状部８２における＋Ｘ軸側（光出射前側）に設けられ、ＹＺ平面に沿って延出（中心線Ａｘに略直交して延出）し、側壁部８３に接続する。
この前壁部８４において、略中央部分には、図６または図７に示すように、光束を通過させるための円形状の開口部８５が形成されている。
そして、平行化レンズ６は、開口部８５に嵌合する。
【００２６】
また、前壁部８４には、図５または図６に示すように、−Ｘ軸側（光出射後側）に窪み、筒状部材８の周方向（中心線Ａｘを中心とする回転方向）に沿って延びる２つの左上凹部８６及び右下凹部８７が形成されている。
左上凹部８６は、＋Ｘ軸側（光出射前側）から見て、開口部８５に対する＋Ｙ軸側から＋Ｚ軸側（前面側）にかけて延びる略Ｌ字形状を有する。
そして、４つの交差壁部８３Ｃ１〜８３Ｃ４のうち、上，左側壁部８３Ｕ，８３Ｌ間を接続する交差壁部８３Ｃ２における＋Ｘ軸側（光出射前側）の一部には、図５ないし図７に示すように、左上凹部８６内部に連通する左上接続口８３Ｃ６が形成されている。
【００２７】
右下凹部８７は、図５または図６に示すように、＋Ｘ軸側（光出射前側）から見て、開口部８５に対する−Ｚ軸側（背面側）から＋Ｙ軸側にかけて延びる略Ｌ字形状を有する。
そして、４つの交差壁部８３Ｃ１〜８３Ｃ４のうち、右，下側壁部８３Ｒ，８３Ｄ間を接続する交差壁部８３Ｃ３における＋Ｘ軸側（光出射前側）の一部には、図５ないし図７に示すように、右下凹部８７内部に連通する右下接続口８３Ｃ７が形成されている。
【００２８】
また、各凹部８６，８７の底部分には、図５または図６に示すように、空間Ａｒに連通する矩形状の４つの連通口８８が形成されている。
なお、以下では、４つの連通口８８を、上，下，左，右側壁部８３Ｕ，８３Ｄ，８３Ｌ，８３Ｒに対応させて、上，下，左，右連通口８８Ｕ，８８Ｄ，８８Ｌ，８８Ｒとする。
第１，第２連通口としての上，左連通口８８Ｕ，８８Ｌは、プロジェクター１が正置き姿勢で設置された状態で、図５に示すように、左上凹部８６の底部分において、＋Ｘ軸側（光出射前側）から見て、中心線Ａｘの上側及び左側の各位置にそれぞれ形成されている。
第３，第４連通口としての下，右連通口８８Ｄ，８８Ｒは、プロジェクター１が正置き姿勢で設置された状態で、図５に示すように、右下凹部８７の底部分において、＋Ｘ軸側（光出射前側）から見て、中心線Ａｘの下側及び右側の各位置にそれぞれ形成されている。
【００２９】
さらに、前壁部８４の内面には、図６または図７に示すように、各連通口８８の縁部分から−Ｘ軸側（光出射後側）に向けて突出する筒状の整流部８９がそれぞれ形成されている。
なお、以下では、４つの整流部８９を、上，下，左，右連通口８８Ｕ，８８Ｄ，８８Ｌ，８８Ｒに対応させて、上，下，左，右整流部８９Ｕ，８９Ｄ，８９Ｌ，８９Ｒとする。
これら各整流部８９Ｕ，８９Ｄ，８９Ｌ，８９Ｒは、各連通口８８Ｕ，８８Ｄ，８８Ｌ，８８Ｒを介して空間Ａｒに導入される空気を発光部５１１上部に向けて整流する機能を有する。
これら各整流部８９Ｕ，８９Ｄ，８９Ｌ，８９Ｒにおいて、＋Ｘ軸側（光出射前側）から見て中心線Ａｘから離間する側の側壁には、−Ｘ軸側（光出射後側）に向うにしたがって中心線Ａｘに近接するように傾斜した傾斜面８９Ｕ１，８９Ｄ１，８９Ｌ１，８９Ｒ１がそれぞれ形成されている（図６、図１０参照）。
【００３０】
〔カバー部材の構成〕
カバー部材９は、筒状部材８外面に取り付けられ、筒状部材８外面との間で、冷却ファンＦから吐出された空気を各連通口８８Ｕ，８８Ｄ，８８Ｌ，８８Ｒにそれぞれ流路Ｍ１，Ｍ２，Ｓ１〜Ｓ４（図９、図１１〜図１３参照）を形成する。
このカバー部材９は、図２、図３、または図５に示すように、導入部９１と、第１，第２主ダクトとしての第１，第２カバー部９２，９３と、第３，第４カバー部９４，９５（図２、図３）とを備える。
【００３１】
導入部９１は、図２、図３、または図５に示すように、筒状部材８外面にカバー部材９が取り付けられた状態で、４つの交差壁部８３Ｃ１〜８３Ｃ４のうち、上，右側壁部８３Ｕ，８３Ｒを接続する交差壁部８３Ｃ４に対向した位置に位置付けられる。
そして、導入部９１は、ダクトＦＤ（図２、図３）が接続される導入口９１１（図２、図５）を有し、ダクトＦＤ及び導入口９１１を介して冷却ファンＦから吐出された空気が導入される。
【００３２】
第１カバー部９２は、図２、図３、または図５に示すように、導入部９１に接続し、筒状部材８外面にカバー部材９が取り付けられた状態で、上側壁部８３Ｕに沿って（筒状部材８（第２筒状部８２の周方向に沿って）交差壁部８３Ｃ２（図５）まで延びるように形成されている。
そして、第１カバー部９２は、筒状部材８との間で、導入部９１に導入された空気を側壁部８３（８３Ｕ）に沿って交差壁部８３Ｃ２まで導く第１主流路Ｍ１（図９、図１２参照）を形成する。
第２カバー部９３は、図２、図３、または図５に示すように、導入部９１に接続し、筒状部材８外面にカバー部材９が取り付けられた状態で、右側壁部８３Ｒに沿って（筒状部材８の周方向に沿って）交差壁部８３Ｃ３（図５）まで延びるように形成されている。
そして、第２カバー部９３は、筒状部材８との間で、導入部９１に導入された空気を側壁部８３（８３Ｒ）に沿って交差壁部８３Ｃ３まで導く第２主流路Ｍ２（図１１、図１３参照）を形成する。
【００３３】
第１，第２副ダクトとしての第３カバー部９４は、図２または図３に示すように、第１カバー部９２に接続し、筒状部材８外面にカバー部材９が取り付けられた状態で、＋Ｘ軸側（光出射前側）から左上接続口８３Ｃ６及び左上凹部８６の開口部分を覆うように形成されている。
そして、第３カバー部９４は、筒状部材８との間で、第１主流路Ｍ１を辿って流通した空気を左上凹部８６内部に導入させるとともに、前壁部８４に沿って上，左連通口８８Ｕ，８８Ｌにそれぞれ導く第１，第２副流路Ｓ１，Ｓ２（図９、図１２参照）を形成する。
【００３４】
第３，第４副ダクトとしての第４カバー部９５は、図２または図３に示すように、第２カバー部９３に接続し、筒状部材８外面にカバー部材９が取り付けられた状態で、＋Ｘ軸側（光出射前側）から右下接続口８３Ｃ７及び右下凹部８７の開口部分を覆うように形成されている。
そして、第４カバー部９５は、筒状部材８との間で、第２主流路Ｍ２を辿って流通した空気を右下凹部８７内部に導入させるとともに、前壁部８４に沿って下，右連通口８８Ｄ，８８Ｒにそれぞれ導く第３，第４副流路Ｓ３，Ｓ４（図１１、図１３参照）を形成する。
【００３５】
以上説明したカバー部材９は、図５に示すように、中心線Ａｘに沿う方向から見て、中心線Ａｘを通り、上，左連通口８８Ｕ，８８Ｌと、下，右連通口８８Ｄ，８８Ｒとを区画する仮想線Ｖ（鉛直方向（Ｙ軸）及び水平方向（Ｚ軸）に対してそれぞれ４５°で交差する仮想線）を基準として対称となるように形成されている。
【００３６】
〔流路切替機構の構成〕
流路切替機構１０は、プロジェクター１の姿勢に応じて、流路Ｍ１，Ｍ２，Ｓ１〜Ｓ４を切り替える機構であり、図５または図６に示すように、略矩形板体状の第１〜第３流路切替機構１１〜１３を備える。
第１流路切替機構１１は、導入部９１内部に導入された空気の流通先を第１主流路Ｍ１または第２主流路Ｍ２に切り替える機構であり、図５または図６に示すように、交差壁部８３Ｃ４に対向する位置（導入部９１内部）に設けられている。
そして、第１流路切替機構１１は、筒状部材８外面にカバー部材９が取り付けられた状態で、段差部８Ａと導入部９１における＋Ｘ軸側（光出射前側）の側壁との間で回動可能に軸支される。
【００３７】
第２流路切替機構１２は、第１主流路Ｍ１を辿って流通した空気の流通先を第１副流路Ｓ１または第２副流路Ｓ２に切り替える機構であり、図５または図６に示すように、左上凹部８６内部における左上接続口８３Ｃ６に対向する位置に設けられている。
そして、第２流路切替機構１２は、筒状部材８外面にカバー部材９が取り付けられた状態で、左上凹部８６の底部分と第３カバー部９４との間で回動可能に軸支される。
【００３８】
第３流路切替機構１３は、第２主流路Ｍ２を辿って流通した空気の流通先を第３副流路Ｓ３または第４副流路Ｓ４に切り替える機構であり、図５または図６に示すように、右下凹部８７内部における右下接続口８３Ｃ７に対向する位置に設けられている。
そして、第３流路切替機構１３は、筒状部材８外面にカバー部材９が取り付けられた状態で、右下凹部８７の底部分と第４カバー部９５との間で回動可能に軸支される。
【００３９】
〔冷却ファンから吐出された空気の流路について〕
次に、冷却ファンＦから吐出された空気の流路について説明する。
なお、本実施形態では、上述した流路切替機構１０を設けたことにより、冷却ファンＦから吐出された空気の流路は、プロジェクター１の姿勢に応じて異なるものとなる。
このため、以下では、プロジェクター１の姿勢について説明した後、プロジェクター１の各姿勢での流路を順に説明する。
【００４０】
〔プロジェクターの姿勢〕
図８は、プロジェクター１の姿勢を模式的に示す図である。
本実施形態では、プロジェクター１は、図８に示すように、種々の姿勢で設置可能に構成されている。
例えば、プロジェクター１は、図８（Ａ）に示すように、正置き姿勢で設置される。
ここで、正置き姿勢とは、図８（Ａ）に示すように、投射レンズ３８からの投射方向（＋Ｚ軸）が略水平方向となる姿勢を意味する。
また、プロジェクター１は、図８（Ｂ）に示すように、正置き姿勢（図８（Ａ））の状態からＸ軸（中心線Ａｘ）を中心として１８０°回転させた姿勢を意味する。
【００４１】
さらに、プロジェクター１は、図８（Ｃ）に示すように、上方投射姿勢で設置される。
ここで、上方投射姿勢とは、図８（Ｃ）に示すように、正置き姿勢（図８（Ａ））の状態からＸ軸（中心線Ａｘ）を中心として矢印Ａ１方向（図８（Ａ））に回転させ、投射レンズ３８からの投射方向（＋Ｚ軸）が上方側となる姿勢を意味する。
また、プロジェクター１は、図８（Ｄ）に示すように、正置き姿勢（図８（Ａ））の状態からＸ軸（中心線Ａｘ）を中心として矢印Ａ２方向（図８（Ａ））に回転させ、投射レンズ３８からの投射方向（＋Ｚ軸）が下方側となる姿勢を意味する。
【００４２】
〔正置き姿勢での空気の流路〕
図９及び図１０は、正置き姿勢での流路を説明するための図である。具体的に、図９は、正置き姿勢での支持部材７内部を＋Ｘ軸側（光出射前側）から見た模式図である。図１０は、正置き姿勢での光源装置４を、中心線Ａｘを通るＸＹ平面にて切断した断面図である。
なお、図９では、説明の便宜上、図中の上下方向を光源装置４の自重が加わる鉛直軸に沿うように図示している。図１１ないし図１３も同様である。
【００４３】
正置き姿勢の場合には、図９または図１０に示すように、各連通口８８Ｕ，８８Ｄ，８８Ｌ，８８Ｒのうち、上連通口８８Ｕが中心線Ａｘの上側に位置するものである。
そして、正置き姿勢の場合には、第１流路切替機構１１は、図９に示すように、＋Ｘ軸側（光出射前側）から見て、中心線Ａｘの斜め右上側に位置付けられ、カバー部材９の第１規制部９Ａにて回動が規制されるまで、自重により時計回りに回動し、導入口９１１と第２主流路Ｍ２との間を遮断する。
このため、冷却ファンＦからダクトＦＤ及び導入口９１１を介して導入部９１内部に導入された空気は、図９に示すように、第１主流路Ｍ１に沿って流通する。
【００４４】
また、正置き姿勢の場合には、第２流路切替機構１２は、図９に示すように、＋Ｘ軸側（光出射前側）から見て、中心線Ａｘに対して斜め左上側に位置付けられ、左上接続口８３Ｃ６の縁部分に当接するまで、自重により反時計回りに回動し、左上接続口８３Ｃ６と第２副流路Ｓ２との間を遮断する。
このため、第１主流路Ｍ１を辿って流通した空気は、図９に示すように、左上接続口８３Ｃ６を介して左上凹部８６内部に導入され、第１副流路Ｓ１を辿って流通する。
そして、第１副流路Ｓ１を辿って流通した空気は、中心線Ａｘの上側に位置する上連通口８８Ｕを介して上整流部８９Ｕにて整流されながら空間Ａｒに導入される。
具体的には、第１副流路Ｓ１を辿って流通した空気は、図１０に示すように、傾斜面８９Ｕ１により、−Ｘ軸側（光出射後側）に向うにしたがって下方側に整流される。そして、上整流部８９Ｕにて整流された空気は、発光部５１１上部の頂点位置に向けて送風され、発光部５１１上部を冷却する。
【００４５】
また、冷却ファンＦからダクトＦＤ及び導入口９１１を介して導入部９１内部に導入された空気の一部は、以下に示すように、流通する。
交差壁部８３Ｃ４には、図７に示すように、空間Ａｒと連通する補助送風口８３Ｃ８が形成されている。
そして、導入部９１内部に導入された空気の一部は、具体的な図示は省略したが、補助送風口８３Ｃ８を介して空間Ａｒに導入され、前側封止部５１２の先端（電極引出線５１４及びリード線５１６の溶着位置）に向けて送風され、前側封止部５１２の先端を冷却する。
【００４６】
以上のように発光部５１１及び前側封止部５１２の先端を冷却した後の空気は、図９または図１０に示すように、排気口８３Ｃ５を介して光源装置４外部に排出されるとともに、後側封止部５１３とリフレクター５２との隙間を介して光源装置４外部に排出される。
なお、補助送風口８３Ｃ８を介した上記溶着位置への送風、及び排気口８３Ｃ５等を介した排気に関しては、以下に記載する天吊り姿勢、上方投射姿勢、及び下方投射姿勢でも同様に行われるものであるため、以下では記載を省略する。
【００４７】
〔天吊り姿勢での空気の流路〕
図１１は、天吊り姿勢での流路を説明するための図である。具体的に、図１１は、天吊り姿勢での支持部材７内部を＋Ｘ軸側（光出射前側）から見た模式図である。
天吊り姿勢の場合には、図１１に示すように、各連通口８８Ｕ，８８Ｄ，８８Ｌ，８８Ｒのうち、下連通口８８Ｄが中心線Ａｘの上側に位置するものである。
そして、天吊り姿勢の場合には、第１流路切替機構１１は、図１１に示すように、＋Ｘ軸側（光出射前側）から見て、中心線Ａｘに対して斜め左下側に位置付けられ、カバー部材９の第２規制部９Ｂにて回動が規制されるまで、自重により反時計回りに回動し、導入口９１１と第１主流路Ｍ１との間を遮断する。
このため、冷却ファンＦからダクトＦＤ及び導入口９１１を介して導入部９１内部に導入された空気は、図１１に示すように、第２主流路Ｍ２に沿って流通する。
【００４８】
また、天吊り姿勢の場合には、第３流路切替機構１３は、図１１に示すように、正置き姿勢時の第２流路切替機構１２と同様に、＋Ｘ軸側（光出射前側）から見て、中心線Ａｘに対して斜め左上側に位置付けられ、右下接続口８３Ｃ７の縁部分に当接するまで、自重により反時計回りに回動し、右下接続口８３Ｃ７と第４副流路Ｓ４との間を遮断する。
このため、第２主流路Ｍ２を辿って流通した空気は、図１１に示すように、右下接続口８３Ｃ７を介して右下凹部８７内部に導入され、第３副流路Ｓ３を辿って流通する。
そして、第３副流路Ｓ３を辿って流通した空気は、中心線Ａｘの上側に位置する下連通口８８Ｄを介して下整流部８９Ｄにて整流されながら空間Ａｒに導入され、正置き姿勢時と同様に、発光部５１１上部の頂点位置に向けて送風される。
【００４９】
〔上方投射姿勢での空気の流路〕
図１２は、上方投射姿勢での流路を説明するための図である。具体的に、図１２は、上方投射姿勢での支持部材７内部を＋Ｘ軸側（光出射前側）から見た模式図である。
上方投射姿勢の場合には、図１２に示すように、各連通口８８Ｕ，８８Ｄ，８８Ｌ，８８Ｒのうち、左連通口８８Ｌが中心線Ａｘの上側に位置するものである。
そして、上方投射姿勢の場合には、第１流路切替機構１１は、図１２に示すように、＋Ｘ軸側（光出射前側）から見て、中心線Ａｘに対して斜め右下側に位置付けられ、正置き姿勢時と同様の挙動を示す。すなわち、冷却ファンＦからの空気は、第１主流路Ｍ１に沿って流通する。
【００５０】
また、上方投射姿勢の場合には、第２流路切替機構１２は、図１２に示すように、＋Ｘ軸側（光出射前側）から見て、中心線Ａｘに対して斜め右上側に位置付けられ、正置き姿勢時とは逆に、左上接続口８３Ｃ６の縁部分に当接するまで、自重により時計回りに回動し、左上接続口８３Ｃ６と第１副流路Ｓ１との間を遮断する。
このため、第１主流路Ｍ１を辿って流通した空気は、図１２に示すように、左上接続口８３Ｃ６を介して左上凹部８６内部に導入され、第２副流路Ｓ２を辿って流通する。
そして、第２副流路Ｓ２を辿って流通した空気は、中心線Ａｘの上側に位置する左連通口８８Ｌを介して左整流部８９Ｌにて整流されながら空間Ａｒに導入され、正置き姿勢時と同様に、発光部５１１上部の頂点位置に向けて送風される。
【００５１】
〔下方投射姿勢での空気の流路〕
図１３は、下方投射姿勢での流路を説明するための図である。具体的に、図１３は、下方投射姿勢での支持部材７内部を＋Ｘ軸側（光出射前側）から見た模式図である。
下方投射姿勢の場合には、図１３に示すように、各連通口８８Ｕ，８８Ｄ，８８Ｌ，８８Ｒのうち、右連通口８８Ｒが中心線Ａｘの上側に位置するものである。
そして、下方投射姿勢の場合には、第１流路切替機構１１は、図１３に示すように、＋Ｘ軸側（光出射前側）から見て、中心線Ａｘに対して斜め左上側に位置付けられ、天吊り姿勢時と同様の挙動を示す。すなわち、冷却ファンＦからの空気は、第２主流路Ｍ２に沿って流通する。
【００５２】
また、下方投射姿勢の場合には、第３流路切替機構１３は、図１３に示すように、上方投射姿勢時の第２流路切替機構１２と同様に、＋Ｘ軸側（光出射前側）から見て、中心線Ａｘに対して斜め右上側に位置付けられ、右下接続口８３Ｃ７の縁部分に当接するまで、自重により時計回りに回動し、右下接続口８３Ｃ７と第３副流路Ｓ３との間を遮断する。
このため、第２主流路Ｍ２を辿って流通した空気は、図１３に示すように、右下接続口８３Ｃ７を介して右下凹部８７内部に導入され、第４副流路Ｓ４を辿って流通する。
そして、第４副流路Ｓ４を辿って流通した空気は、中心線Ａｘの上側に位置する右連通口８８Ｒを介して右整流部８９Ｒにて整流されながら空間Ａｒに導入され、正置き姿勢時と同様に、発光部５１１上部の頂点位置に向けて送風される。
【００５３】
上述した本実施形態によれば、以下の効果がある。
本実施形態では、第２筒状部８２において、リフレクター５２から離間し、平行化レンズ６が取り付けられる前壁部８４には、連通口８８及び整流部８９が設けられている。
すなわち、第２筒状部８２内部において、リフレクター５２から離間した側は、リフレクター５２に近接する側と比較して、非干渉空間ＩＡｒ（図１０に一点鎖線で示す空間）が大きいため、側壁部８３に連通口及び整流部を設けた構成と比較して、大きいサイズの整流部８９を第２筒状部８２内部に設けることができる。
したがって、整流部８９に良好な整流効果を持たせることができ、発光部５１１上部に空気を良好に送風して、発光管５１の長寿命化が図れる。
【００５４】
また、前壁部８４には、＋Ｘ軸側（光出射前側）から見て、中心線Ａｘの上下左右の各位置に４つの連通口８９Ｕ，８９Ｄ，８９Ｌ，８９Ｒが形成されている。
このことにより、プロジェクター１が種々の姿勢（正置き姿勢、天吊り姿勢、上方投射姿勢、及び下方投射姿勢）で設置された場合であっても、各連通口８８Ｕ，８８Ｄ，８８Ｌ，８８Ｒのいずれかの連通口８８を、中心線Ａｘに沿う方向から見て、中心線Ａｘの上側に位置付けることができる。
このため、流路切替機構１０により、第１，第２主流路Ｍ１，Ｍ２のいずれかの流路、及び第１〜第４副流路Ｓ１〜Ｓ４のいずれかの流路を介して上記上側に位置付けられた連通口８８に向けて空気を流通させることで、当該連通口８８及び整流部８９を介して発光部５１１上部に空気を送風できる。
したがって、プロジェクター１が種々の姿勢に設置された場合であっても、発光部５１１上部に空気を送風でき、発光管５１の長寿命化が図れる。
【００５５】
また、第１，第２カバー部９２，９３が側壁部８３に沿って空気を流通させ、第３，第４カバー部９４，９５が前壁部８４に沿って空気を流通させるので、前壁部８４の上記４つの位置に各連通口８８Ｕ，８８Ｄ，８８Ｌ，８８Ｒをそれぞれ形成した場合であっても、カバー部材９を第２筒状部８２に近接した位置に纏めて配設できる。
したがって、光源装置４が大型化することがない。
【００５６】
さらに、カバー部材９が仮想線Ｖを基準として対称となるように形成されているので、第１，第２主流路Ｍ１，Ｍ２の各流路長さを同一に設定できるとともに、第１〜第４副流路Ｓ１〜Ｓ４の各流路長さを同一に設定できる。
したがって、プロジェクター１が種々の姿勢に設置された場合であっても、発光部５１１上部に送風される空気の風量や風速を略同一とすることができる。
【００５７】
また、本発明に係るダクトがカバー部材９で構成されているので、カバー部材９を筒状部材８外面に取り付けるだけで、各連通口８８に空気を流通させる各流路Ｍ１，Ｍ２，Ｓ１〜Ｓ４を形成でき、光源装置４の構造を簡素なものとしながら、光源装置４の小型化が図れる。
さらに、前壁部８４には底部分に連通口８８が形成された凹部８６，８７を有し、第３，第４カバー部９４，９５は、凹部８６，８７の各開口部分を閉塞することで、第１〜第４副流路Ｓ１〜Ｓ４を形成できるので、光源装置４をさらに小型化できる。
【００５８】
なお、本発明は前述の実施形態に限定されるものではなく、本発明の目的を達成できる範囲での変形、改良等は本発明に含まれるものである。
前記実施形態では、第２筒状部８２に４つの連通口８８が形成されていたが、前壁部８４に形成されていれば、その数は特に限定されず、１つのみ形成した構成や、２つ、３つ、あるいは、５つ以上形成した構成を採用しても構わない。整流部８９も同様である。
前記実施形態では、前壁部８４の開口部８５に平行化レンズ６が嵌合される構成としていたが、これに限らず、平行化レンズ６ではなく、透光性を有する透光性部材を開口部８５に嵌合させる構成を採用しても構わない。
前記実施形態では、説明を簡略化するために、プロジェクター１の姿勢として、正置き姿勢、天吊り姿勢、上方投射姿勢、および下方投射姿勢の４つの姿勢を例に挙げて説明したが、プロジェクター１は中心線Ａｘを中心とする３６０°全ての方向に対して投射可能な種々の姿勢に設定できるものである。
【００５９】
前記実施形態において、プロジェクター１は、３つの液晶パネル３５を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて光束を変調する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束出射側の偏光板３４，３６は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００６０】
本発明は、プレゼンテーションやホームシアターに用いられるプロジェクターに利用できる。
【符号の説明】
【００６１】
１・・・プロジェクター、４・・・光源装置、６・・・平行化レンズ（透光性部材）、９・・・カバー部材（ダクト）、１０・・・流路切替機構、３５・・・液晶パネル（光変調装置）、３８・・・投射レンズ（投射光学装置）、５１・・・発光管、５２・・・リフレクター（反射鏡）、８２・・・第２筒状部（筒体）、８３・・・側壁部、８４・・・前壁部、８５・・・開口部、８８・・・連通口、８８Ｕ・・・上連通口（第１連通口）、８８Ｄ・・・下連通口（第３連通口）、８８Ｌ・・・左連通口（第２連通口）、８８Ｒ・・・右連通口（第４連通口）、８９・・・整流部、９２・・・第１カバー部（第１主ダクト）、９３・・・第２カバー部（第２主ダクト）、９４・・・第３カバー部（第１，第２副ダクト）、９５・・・第４カバー部（第３，第４副ダクト）、５１１・・・発光部、Ａｘ・・・中心線、Ｅ１，Ｅ２・・・電極、Ｖ・・・仮想線。
【図１】
2012194461.tif 000003
【図２】
2012194461.tif 000004
【図３】
2012194461.tif 000005
【図４】
2012194461.tif 000006
【図５】
2012194461.tif 000007
【図６】
2012194461.tif 000008
【図７】
2012194461.tif 000009
【図８】
2012194461.tif 000010
【図９】
2012194461.tif 000011
【図１０】
2012194461.tif 000012
【図１１】
2012194461.tif 000013
【図１２】
2012194461.tif 000014
【図１３】
2012194461.tif 000015